(57)【要約】【課題】従来のモーメンタリ形スイッチを用いたスイッチ装置は、シーソーつまみの傾動方向のガタ付きだけでなく、垂直方向のガタ付きが大きいという問題があった。シーソーつまみの傾動方向のガタ付きを抑えるとともに、垂直方向のガタ付きを抑え、かつシーソーつまみへ適度な荷重感触を付加することが可能なスイッチ装置を実現する。【解決手段】シーソーつまみ２の背面に設けた直状リブ２１に当接する板ばね４の押圧部４１により、シーソーつまみ２の傾動方向のガタ付を抑える。さらに、板ばね４のプレートスプリング部４２でシーソーつまみ２の両側面２３を挟み込み、シーソーつまみ２の操作時における垂直方向のガタ付を抑えるとともに、シーソーつまみ２に適度な荷重感触を付加し、良好な操作感触を得る。【選択図】図１
2006127876.tif 000002
【特許請求の範囲】
【請求項１】
傾動可能に支持されたシーソーつまみを手で押圧操作することにより傾動し、シーソーつまみの背後に配置されたスイッチを作動させるように構成したスイッチ装置において、
シーソーつまみの側面へ弾接させたばね部材を設け、シーソーつまみの押圧操作時に荷重感触を付加するとともに垂直方向のガタ付きを抑えるように構成したことを特徴とするスイッチ装置。
【請求項２】
スイッチを作動させるスイッチ操作軸を支点として傾動可能に支持されたシーソーつまみと、シーソーつまみの背面に立設された直状リブと、シーソーつまみの押圧操作時に直状リブにより押圧されシーソーつまみに荷重感触を付加するとともに傾動方向のガタ付きを抑える第１のばね部材とを備えたスイッチ装置において、
シーソーつまみの両側面を挟み込み弾接させた第２のばね部材を設け、シーソーつまみの押圧操作時に荷重感触を付加するとともに垂直方向のガタ付きを抑えるように構成したことを特徴とするスイッチ装置。
【請求項３】
前記第１および第２のばね部材を一体に構成したことを特徴とする請求項２記載のスイッチ装置。
【発明の詳細な説明】
【技術分野】
【０００１】
本発明は、シーソーつまみを手で押圧操作することにより傾動し、シーソーつまみの背後に配置されたスイッチを作動させるように構成したスイッチ装置に係り、特に、シーソーつまみの押圧操作時に適度な荷重感触（クリック感触）を付加するとともに、ガタ付きを抑えることができる構造のスイッチ装置に関する。
【背景技術】
【０００２】
従来の例えば、図３の（ａ）、（ｂ）に示すようなモーメンタリ形スイッチ（押している間、スイッチはオン状態、放すとオフ状態となるスイッチ）１を用いたスイッチ装置が知られている。このスイッチ装置は、プリント基板３上に設けたモーメンタリ形スイッチ１と、このモーメンタリ形スイッチ１のスイッチ操作軸１１へ傾動可能に取り付けたシーソーつまみ２とを備え、シーソーつまみ２を手で押圧操作して傾動させることによりモーメンタリ形スイッチ１を作動するように構成されている。
【０００３】
この図３の（ａ）、（ｂ）に示すスイッチ装置は、シーソーつまみ２を手で押圧操作して傾動させ、モーメンタリ形スイッチ１を作動する時、シーソーつまみ２に付加される荷重感触は、全てモーメンタリ形スイッチ１自体の性能に委ねている。
【０００４】
したがって、図３の（ｂ）に示すように、シーソーつまみ２をＡの方向、すなわち、図３の（ｂ）における時計方向、または反時計方向へシーソーつまみ２を傾動してモーメンタリ形スイッチ１を作動させる時に、明確な荷重感触が得られないという問題があった。
【０００５】
このような問題を解決するために、従来のスイッチ装置には、シーソーつまみの背面に弾性変形可能な直状リブを設け、シーソーつまみを押圧操作して斜動させた時に、直状リブを操作パネルに設けたボスの傾斜面へ当接して弾性変形させ、シーソーつまみの方向へ付勢することにより、シーソーつまみに荷重感触を付加するとともに、傾動方向のガタ付きを抑えるように構成したものがある（例えば、特許文献１参照。）。
【０００６】
また、シーソーつまみの背面に設けた直状リブを板ばねによって弾性付勢される揺動可能な駆動体へ当接し、シーソーつまみを押圧操作して傾動させた時に、シーソーつまみへ伝達される板ばねの弾発力によって、荷重感触を得るとともに、シーソーつまみの傾動方向のガタ付きを抑えるように構成したものもある（例えば、特許文献２参照。）。
【０００７】
さらに、従来のスイッチ装置には、図４の（ａ）、（ｂ）に示すように、板ばね４を用いてシーソーつまみ２の押圧操作時に荷重感触を付加するように構成したものがある。この図４の（ａ）、（ｂ）に示す従来のスイッチ装置は、シーソーつまみ２の背面両端部に下向きに立設された直状リブ２１、２１をプリント基板３に形成した貫通穴３１、３１へそれぞれ挿通し、プリント基板３の裏面に取り付けた板ばね４へ当接するように構成している。
【０００８】
したがって、図４の（ｂ）に示すように、シーソーつまみ２をＡの方向、すなわち、図４の（ｂ）における時計方向、または反時計方向へシーソーつまみ２を傾動してモーメンタリ形スイッチ１を作動させた時に、押し下げられた方の直状リブ２１が板ばね４を押し下げる。この時に、板ばね４に生じた弾発力によって、シーソーつまみ２には、適度な荷重感触が付加される。手をシーソーつまみ２から放すと、シーソーつまみ２は、板ばね４に蓄積された弾発力によって、旧位置へ復帰するように構成されている。
【０００９】
【特許文献１】特開２００１−２５６８６１号公報（第２―３頁、第２図）
【特許文献２】特開２００４−１４４５７号公報（第５―９頁、第６図）
【発明の開示】
【発明が解決しようとする課題】
【００１０】
以上述べた従来のスイッチ装置において、モーメンタリ形スイッチを用いた場合、モーメンタリ形スイッチの構造上、シーソーつまみ２のガタ付きは、図４の（ｂ）に示すＡの方向（傾動方向）だけではなく、Ａの方向に加えて垂直の方向（上下方向）に対するガタ付きも大きいため、シーソーつまみ２が傾き、直状リブ２１の押圧力が板ばね４へ確実に伝わらず、良好な操作感触が得られないという問題があった。
【００１１】
本発明は、このような従来の構成が有していた問題を解決しようとするものであり、シーソーつまみの押圧操作時に適度な荷重感触を付加するとともに、垂直方向のガタ付きを抑えることができるスイッチ装置を実現することを目的とするものである。
【課題を解決するための手段】
【００１２】
上記の目的を達成するために、本発明のスイッチ装置においては、傾動可能に支持されたシーソーつまみを手で押圧操作することにより傾動し、シーソーつまみの背後に配置されたスイッチを作動させるように構成したスイッチ装置において、シーソーつまみの側面へ弾接させたばね部材を設け、シーソーつまみの押圧操作時に荷重感触を付加するとともに垂直方向のガタ付きを抑えるように構成したものである。
【００１３】
また、第２の課題解決手段は、スイッチを作動させるスイッチ操作軸を支点として傾動可能に支持されたシーソーつまみと、シーソーつまみの背面に立設された直状リブと、シーソーつまみの押圧操作時に直状リブにより押圧されシーソーつまみに荷重感触を付加するとともに傾動方向のガタ付きを抑える第１のばね部材とを備えたスイッチ装置において、シーソーつまみの両側面を挟み込み弾接させた第２のばね部材を設け、シーソーつまみの押圧操作時に荷重感触を付加するとともに垂直方向のガタ付きを抑える構成としたものである。
【００１４】
また、上記第２の課題解決手段において、第１および第２のばね部材を一体に構成することが効果的である。
【発明の効果】
【００１５】
本発明のスイッチ装置は、シーソーつまみの押圧操作時に適度な荷重感触を付加するとともに、垂直方向のガタ付きを抑えることができるスイッチ装置を実現することができ、良好な操作感触を得ることが可能なスイッチ装置を提供できる。
【発明を実施するための最良の形態】
【００１６】
以下、本発明の実施の形態を図１および図２に基づいて説明する。
図１は本発明の一実施例に係るスイッチ装置の分解斜視図である。図２の（ａ）は図１に示すスイッチ装置のプリント基板の部分を断面した側面図、図２の（ｂ）は図１に示すスイッチ装置のプリント基板の部分を断面した正面図である。
【００１７】
図１において、１はモーメンタリ形スイッチで、プリント基板３上に取り付けられ、電気的に配線接続されている。
【００１８】
２はシーソーつまみで、その支点部分２２は、モーメンタリ形スイッチ１のスイッチ作動軸１１に取り付けられ、手の押圧操作により傾動可能に構成している。また、シーソーつまみ２の背面には、一対の直状リブ２１、２１が下向きに突出して形成されている。これらの直状リブ２１、２１は、モーメンタリ形スイッチ１の近傍のプリント基板３上に形成された貫通穴３１、３１へ挿通され、プリント基板３の裏面に取り付けられた板ばね４の押圧部４１，４１へそれぞれ当接している。また、この一対の直状リブ２１、２１は、シーソーつまみ２が押圧操作されないときには、押圧部４１、４１と単なる接触状態にあり、シーソーつまみ２を中立位置に保持するように構成している。
【００１９】
板ばね４は、プリント基板３の裏面に取り付けられ、シーソーつまみ２の直状リブ２１、２１の下端部分にそれぞれ当接する押圧部４１、４１を設けている。この押圧部４１、４１は、シーソーつまみ２の両端に作用するように配置され、シーソーつまみ２に対する押圧操作が解除されたときに、シーソーつまみ２が中点位置に復帰するように付勢する。
【００２０】
さらに、この板ばね４の中央部には、その中央部の両端を上方に折り曲げて形成した一対のプレートスプリング部４２、４２を設けている。このプレートスプリング部４２、４２の上端部には、内方に断面円弧状に屈曲形成した圧接触部４２１がそれぞれ形成されている。
【００２１】
このように形成された一対のプレートスプリング部４２、４２は、モーメンタリ形スイッチ１の近傍のプリント基板３上に形成された貫通穴３２、３２へプリント基板３の裏面側から挿通してプリント基板３の上面側へ突出させる。プリント基板３の上面側へ突出させたプレートスプリング部４２、４２は、シーソーつまみ２の両側面２３、２３を挟み込み、両側面２３、２３に対して常時、付勢するように組み込まれている。
【００２２】
以下、上記の構成の動作を説明する。まず、シーソーつまみ２を手で押圧操作して、図２の（ｂ）に示すＡの方向、すなわち、図２の（ｂ）における時計方向、または反時計方向にシーソーつまみ２を傾動させると、モーメンタリ形スイッチ１は、作動状態となる。また、このシーソーつまみ２の押圧操作にしたがって、押し下げられた方の直状リブ２１は、板ばね４の押圧部４１を押し下げる。この板ばね４の押圧部４１の押し下げ動作により、その弾発力がシーソーつまみ２に付勢され、適度な荷重感触を付加するとともに、シーソーつまみ２の傾動方向のガタ付きを抑えることができる。
【００２３】
さらに、押圧操作されたシーソーつまみ２は、図２の（ａ）で示すように、プレートスプリング部４２、４２によって、その両側面２３、２３が挟み込まれ、常時、内方向の力が付勢されているため、シーソーつまみ２の垂直方向（上下方向）のガタ付きを抑えることができる。この結果、図２の（ａ）に示すシーソーつまみ２のＢの方向、すなわち、図２の（ａ）における右または左の方向へのシーソーつまみ２のふらつきを抑えることができる。したがって、シーソーつまみ２は、図２の（ｂ）に示すＡの方向への移動をスムーズに行うことができるとともに、シーソーつまみ２に適度な荷重感触を付加することができる。
【００２４】
以上のように、本発明のスイッチ装置は、シーソーつまみ２の斜動方向に対するガタ付きの抑えに加えて、さらに、シーソーつまみ２の垂直方向へのガタ付きを抑えることにより、全体的なガタ付きを抑えることが可能となり、シーソーつまみ２の傾動方向への移動をスムーズに行うことができる。このように、全体的なガタ付きを抑えられるため、良好な操作感触を得ることができる。
【図面の簡単な説明】
【００２５】
【図１】本発明の実施の形態を示すスイッチ装置の分解斜視図である。
【図２】同スイッチ装置の説明図である。
【図３】従来のスイッチ装置の分解斜視図と説明図である。
【図４】従来のスイッチ装置の分解斜視図と説明図である。
【符号の説明】
【００２６】
１      モーメンタリ形スイッチ
１１    スイッチ作動軸
２      シーソーつまみ
２１    直状リブ
２２    支点部分
２３    側面
３      プリント基板
３１    貫通穴
３２    貫通穴
４      板ばね
４１    押圧部
４２    プレートスプリング部
４２１  圧接触部
【図１】
2006127876.tif 000003
【図２】
2006127876.tif 000004
【図３】
2006127876.tif 000005
【図４】
2006127876.tif 000006